(57)【特許請求の範囲】
【請求項１】
上部にガスケット取付部を備えた複数の枠材を井桁状に連結し複数の枠部を有するパネル取付用枠と、
横片と連結部とシール部で、その連結部とシール部との間に排水用樋部を有し、シール部の下部に枠材の上部のガスケット取付部が係合する係合凹部を有する一対のガスケットで、前記各枠材のガスケット取付部に取付けられ、一対のシール部と、この一対のシール部間の排水用樋部と、その排水用樋部の中間部に目地シール材受け部を有するパネル支持ガスケットと、
前記各枠部のパネル支持ガスケットのシール部に載置して取付け、隣接したパネルの端面が目地シール材受け部に当接して目地凹部を形成した複数のパネルと、
前記各パネルを枠材に連結し、かつ各パネルの上面よりも上方に突出しないパネル連結装置を有し、
隣接したパネルの端面相互間が、前記目地凹部に装着された目地シール材でシールされ、その目地シール材が前記排水用樋部の上方に位置していることを特徴とするパネル組合せ構造。
【請求項２】
パネル支持ガスケットの目地シール材受け部に磁性体を取付けた請求項１記載のパネル組合せ構造。
【発明の詳細な説明】
【０００１】
【発明の属する技術分野】
本発明は、歩行通路、水槽等を形成するために複数のパネルを横方向に連続して組み合わせるパネル組合せ構造に関する。
【０００２】
【従来の技術】
複数のパネルを横方向に連続して組み合せるパネル組合せ構造、例えば天窓を形成する構造としては実公平３−５６５７９号公報に示すものが知られている。具体的には、複数のＨ型鋼を井桁状に連結してパネル取付用枠を形成し、この各Ｈ型鋼の上端部にパネル保持材を取付け、このパネル保持材でパネルを保持して複数のパネルを横方向に連続して組み合せ、そのパネル保持材に排水用の樋部を一体的に形成してパネル保持部から洩れた雨水等を樋部で受けるようにしてある。
【０００３】
【発明が解決しようとする課題】
前述のパネル組合せ構造はパネルに作用する負荷（荷重）をパネル保持材を介してパネル取付用枠で支持するので、そのパネルに大きな負荷が作用するとパネル保持材が大きく変形し、シール性が低下したり、そのパネル保持材がＨ型鋼から外れたり、パネルがパネル保持材から外れる恐れがある。
【０００４】
すなわち、前述のパネル組合せ構造は天窓を形成するためであり、そのパネルには強風雨による負荷が作用するのみで大きな負荷が作用しないので、前述のパネル組合せ構造でもシール性が低下したり、パネル、パネル保持材が外れることがない。
【０００５】
しかしながら、前述のようにして複数のパネルを組み合せて歩行通路、水槽などを形成すると、そのパネルには大きな負荷が作用するのでシール性が低下したり、パネル、パネル保持材が外れる恐れがある。
【０００６】
また、パネル保持材に形成した排水用の樋部とパネル下面は離れているので、大量の漏水が発生してその排水用の樋部に大量の雨水等が流れ込むと排水用の樋部から雨水等が溢れ出して下方に落下する。
【０００７】
そこで、本発明は前述の課題を解決できるようにしたパネルの組合せ構造を提供することを目的とする。
【０００８】
【課題を解決するための手段】
第１の発明は、上部にガスケット取付部を備えた複数の枠材を井桁状に連結し複数の枠部を有するパネル取付用枠と、
横片と連結部とシール部で、その連結部とシール部との間に排水用樋部を有し、シール部の下部に枠材の上部のガスケット取付部が係合する係合凹部を有する一対のガスケットで、前記各枠材のガスケット取付部に取付けられ、一対のシール部と、この一対のシール部間の排水用樋部と、その排水用樋部の中間部に目地シール材受け部を有するパネル支持ガスケットと、
前記各枠部のパネル支持ガスケットのシール部に載置して取付け、隣接したパネルの端面が目地シール材受け部に当接して目地凹部を形成した複数のパネルと、
前記各パネルを枠材に連結し、かつ各パネルの上面よりも上方に突出しないパネル連結装置を有し、
隣接したパネルの端面相互間が、前記目地凹部に装着された目地シール材でシールされ、その目地シール材が前記排水用樋部の上方に位置していることを特徴とするパネル組合せ構造である。
【００１１】
第２の発明は、第１の発明においてパネル支持ガスケットの目地シール材受け部に磁性体を取付けたパネル組合せ構造である。
【００１２】
【作    用】
第１の発明によれば、パネルに作用する負荷がパネル連結装置によって枠材で支持され、その負荷がパネル支持ガスケットには作用しないので、パネルに大きな負荷が作用してもパネル支持ガスケットが大きく変形しない。
これによって、シール性能が低下したり、パネルやパネル支持ガスケット自体が外れたりすることがない。
【００１３】
目地シール材による目地シール部分から漏れた雨水等は排水用樋部に流れ落ちる。
この排水用樋部の上方開口部はパネル下面で閉塞されるので、大量の雨水等が漏れても排水用樋部から溢れることがない。
【００１４】
パネル支持ガスケット、パネル連結装置はパネルの上面から上方に突出しないので、パネルの上面は平坦面である。
これによって、複数のパネルを歩行通路、水槽などとすることが可能である。
【００１５】
また、パネル支持ガスケットの目地シール材受け部にパネルの端面が当接することで隣接するパネルの位置決めをできるから目地凹部を所定の幅とすることができる。
目地凹部に目地シール材を装着する作業がやり易い。
【００１６】
また、枠部にガスケットをそれぞれ装着し、一対のガスケットの連結部を連結することでパネル支持ガスケットを形成できるので、そのガスケットの装着作業がやり易い。
【００１７】
第２の発明によれば、自走式のクリーニング機器に磁気検出器を取付けることで、そのクリーニング機器を目地シール部分に沿って自動走行することが可能である。
【００１８】
【発明の実施の形態】
図１に示すように、複数の第１の枠材１を間隔を置いて平行に配設し、その隣接する第１の枠材１間に第２の枠材２を連結して複数の枠材が井桁状に連結され複数の枠部３を有するパネル取付用枠４を形成している。
前記各枠部３の上面部分にパネル、例えば合せガラス５がそれぞれ載置して連結されて複数の合せガラス５が横方向に連続して組み合せている。
【００１９】
前記第１の枠材１と第２の枠材２は図２に示すように上横片６（ガスケット取付部）と下横片７と縦片８で断面Ｉ型の長尺材で、第１の枠材１側面の長手方向複数位置に複数の第２の枠材２の長手方向端面が突き合せて溶接等で固着されて連結されている。
前記第１の枠材１、第２の枠材２は図示しない支持用部材で地上に支持され、前記パネル取付用枠４は地上よりも上方に配設してある。
このようであるから、前述のパネル取付用枠４、合せガラス５を地上の人が見上げるようになる。
【００２０】
前記枠部３を形成する相対向した一対の第１の枠材１の上横片６の幅方向半分と相対向した一対の第２の枠材２の上横片６の幅方向半分とに亘ってガスケット９が４周連続してそれぞれ装着され、各上横片６に装着した２つのガスケット９でパネル支持ガスケット１０を形成している。
【００２１】
前記ガスケット９は図３に示すように、横片１１と、この横片１１の一側部に一体的に設けた連結部１２と、横片１１の他側部に一体的に設けたシール部１３を有する所定の幅と厚さを有する長尺材で、連結部１２とシール部１３の上面は略同一高さで、その連結部１２とシール部１３との間に上向凹部１４（排水用樋部）を有する。前記シール部１３は横片１１下面よりも下方に突出した厚肉で、その下方に突出した部分には横片１１下面と連続し、かつ上横片６の一端部が嵌まり込む横向き凹部１５（係止凹部）を有する。
【００２２】
このガスケット９はパネル取付用枠４を形成した後に各枠部３に横向き凹部１５が上横片６に嵌まり込むようにして四周連続して装着される。したがって、ガスケット９を各枠部３の上部に簡単に装着できる。
【００２３】
１つの第１の枠材１及び１つの第２の枠材２の上横片６に装着した一対のガスケット９の連結部１２は相互に接し、下向きコ字状の連結具１６が嵌め込みされて連結されてパネル支持ガスケット１０を形成している。
【００２４】
これによって、前記パネル支持ガスケット１０は合せガラス下面が接する一対のシール部１３と、この一対のシール部１３間の上向き凹部１４（排水用樋部）と、この上向き凹部１４の中間に設けられパネル端面が当接する一対の連結部１２（目地シール材受け部）と、一対の横向き凹部１５（係止凹部）を有する形状である。
なお、連結部１２は後述するように隣接する合せガラス５間の目地凹部を形成するもので、この連結部１２を設けなくとも良い。
【００２５】
前記合せガラス５は図３に示すように、下ガラス１７と上ガラス１８をフィルム１９を介して重ね合せてある。
【００２６】
図１に示すように、各第２の枠材２における第１の枠材１の連結部近くには一対のパネル連結装置２０がそれぞれ取付けてある。
このパネル連結装置２０は第１の枠材１における第２の枠材２の連結部近くに取付けても良い。
すなわち、このパネル連結装置２０は枠部３の各コーナー近くに取付けてある。
なお、パネル連結装置２０は枠部３の各コーナー間の長手方向中間部に取付けても良い。
【００２７】
前記パネル連結装置２０は図３に示すように、第２の枠材２の縦片８に固着した鉤形のブラケット２１と、前記下部ガラス１７に設けた取付具２２と、この取付具２２で下部ガラス１７に固着したボルト２３と、このボルト２３をブラケット２１に固定する受けプレート２４、ナット２５を備えている。
前記取付具２２は下部ガラス１７の孔１７ａに上から下に抜け出ないように挿入した受け具２６と、この受け具２６に螺合した押え具２７を備え、受け具２６の半球状の下向き凹部２６ａにボルト２３の球状部２３ａを嵌め込み、押え具２７を締付けることでその半球状の上向き凹部２７ａをボルト２３の球状部２３ａに押しつけてボルト２３を合せガラス５の下部ガラス１７に固着してある。
これにより、取付具２２、ボルト２３は上部ガラス１８には突出せずに合せガラス５の上面は平坦面である。
【００２８】
前記ボルト２３はブラケット２１の孔２１ａを挿入して下方に突出し、そのボルト２３に螺合した受けプレート２４がボルト２３の下向段部２３ｂとブラケット２１の上面に接している。このボルト２３にナット２５を螺合してボルト２３をブラケット２１に固定する。
これにより、合せガラス５に作用する負荷がボルト２３を介してブラケット２１に伝わり、第２の枠材２で支持する。
【００２９】
したがって、合せガラス５の上に人が歩行したり、合せガラス５が水槽の底部で水圧が作用し、その合せガラス５に大きな負荷が作用しても合せガラス５が外れることがないと共に、ガスケット９のシール部１３に大きな負荷が作用せずにガスケット９が外れたり、シール性が低下することがない。
【００３０】
前記合せガラス５の下面は各ガスケット９のシール部１３の上部に圧接して上向き凹部１４との間に四周連続し密閉された空間部を形成する。合せガラス５の端面が連結部１２（連結具１６）に当接して隣接した合せガラス５間に目地凹部３０を形成し、この目地凹部３０に湿式シール材などの目地シール材３１がバックアップ材３２を介して装着してある。
この目地シール材３１を装着する時にバックアップ材３２が一対の連結部１２（連結具１６）に当接するので、その目地シール材３１を装着する作業がやり易い。
すなわち、一対の連結部１２が目地シール材受け部を形成する。
【００３１】
この目地シール材３１部分から浸入した雨水等はガスケット９の上向凹部１４に流入し、任意の位置に取付けてある排水パイプ３３より外部に排水される。
前記上向凹部１４は四周連続し、合せガラス５の下面で閉塞されて密閉された空間を形成しているので、その上向凹部１４に大量の雨水等が流入しても溢れることがない。
【００３２】
前記ガスケット９の連結部１２には磁性体、例えばマグネット３４が取付けてある。
これによって、走行可能なクリーニング機器に磁気検出器を取付けることで、クリーニング機器を目地凹部３０に沿って自動走行させることが可能となる。
【００３３】
【発明の効果】
請求項１に係る発明によれば、パネルに作用する負荷がパネル連結装置によって枠材で支持され、その負荷がパネル支持ガスケットには作用しないので、パネルに大きな負荷が作用してもパネル支持ガスケットが大きく変形しない。
これによって、シール性能が低下したり、パネルやパネル支持ガスケット自体が外れたりすることがない。
【００３４】
目地シール材による目地シール部分から漏れた雨水等は排水用樋部に流れ落ちる。
この排水用樋部の上方開口部はパネル下面で閉塞されるので、大量の雨水等が漏れても排水用樋部から溢れることがない。
【００３５】
パネル支持ガスケット、パネル連結装置はパネルの上面から上方に突出しないので、パネルの上面は平坦面である。
これによって、複数のパネルを歩行通路、水槽などとすることが可能である。
【００３６】
また、パネル支持ガスケットの目地シール材受け部にパネルの端面が当接することで隣接するパネルの位置決めをできるから目地凹部を所定の幅とすることができる。
目地凹部に目地シール材を装着する作業がやり易い。
【００３７】
また、枠部にガスケットをそれぞれ装着し、一対のガスケットの連結部を連結することでパネル支持ガスケットを形成できるので、そのガスケットの装着作業がやり易い。
【００３８】
請求項２に係る発明によれば、自走式のクリーニング機器に磁気検出器を取付けることで、そのクリーニング機器を目地シール部分に沿って自動走行することが可能である。
【図面の簡単な説明】
【図１】複数のパネルを組み合せた状態の概略平面図である。
【図２】パネル取付用枠の斜視図である。
【図３】図１のＡ−Ａ詳細斜視図である。
【符号の説明】
１…第１の枠材
２…第２の枠材
３…枠部
４…パネル取付用枠
５…合せガラス（パネル）
６…上横片（ガスケット取付部）
９…ガスケット
１０…パネル支持ガスケット
１１…横片
１２…連結部（目地シール材受け部）
１３…シール部
１４…上向き凹部（排水用樋部）
１５…横向凹部（係合凹部）
２０…パネル連結装置
３０…目地凹部
３１…目地シール材
３４…マグネット（磁性体）
【図１】
0003814749.tif 000002
【図２】
0003814749.tif 000003
【図３】
0003814749.tif 000004